(57)【特許請求の範囲】
【請求項１】
複数の階調電圧を生成する階調電圧生成回路と、
第１色成分表示データ、第２色成分表示データ及び第３色成分表示データのデータ処理を行うデータ処理部と、
前記データ処理部から得られる前記データ処理後の前記第１色成分表示データ、前記第２色成分表示データ及び前記第３色成分表示データと、前記階調電圧生成回路から得られる前記第１色成分表示データ、前記第２色成分表示データ及び前記第３色成分表示データのそれぞれに対して共通に使用される前記複数の階調電圧とに基づいて、表示パネルを駆動する駆動部と、
を含み、
前記データ処理部は、
前記第１色成分表示データ、前記第２色成分表示データ及び前記第３色成分表示データの少なくとも１つの色成分表示データに対して、設定された階調補正範囲において、階調の補正処理を行い、
前記データ処理部は、
前記少なくとも１つの色成分表示データに対して、所与の係数αを乗算する乗算処理を行い、
前記階調補正範囲において、前記乗算処理後の前記色成分表示データに所与の値β１を加算又は減算する前記補正処理を行い、
前記階調補正範囲は、
非境界範囲と、
階調補正範囲外と前記非境界範囲との間の境界範囲と、
を有し、
前記データ処理部は、
前記乗算処理後の前記色成分表示データに対して、前記非境界範囲では、前記所与の値β１を用いて前記補正処理を行い、前記境界範囲では、前記所与の値β１よりも小さい値β２を用いて前記補正処理を行うことを特徴とする回路装置。
【請求項２】
請求項１において、
前記階調補正範囲を設定するレジスターを含むことを特徴とする回路装置。
【請求項３】
請求項１において、
前記所与の係数α及び前記所与の値β１を設定するレジスターを含むことを特徴とする回路装置。
【請求項４】
請求項１乃至３のいずれかにおいて、
前記階調補正範囲は、
前記データ処理部に入力される前記第１の色成分表示データ、前記第２の色成分表示データ及び前記第３の色成分表示データの前記少なくとも１つの色成分表示データに対して設定される、高階調側の階調範囲と低階調側の階調範囲の間の範囲であることを特徴とする回路装置。
【請求項５】
複数の階調電圧を生成する階調電圧生成回路と、
第１色成分表示データ、第２色成分表示データ及び第３色成分表示データのデータ処理を行うデータ処理部と、
前記データ処理部から得られる前記データ処理後の前記第１色成分表示データ、前記第２色成分表示データ及び前記第３色成分表示データと、前記階調電圧生成回路から得られる前記第１色成分表示データ、前記第２色成分表示データ及び前記第３色成分表示データのそれぞれに対して共通に使用される前記複数の階調電圧とに基づいて、表示パネルを駆動する駆動部と、
を含み、
前記データ処理部は、
前記第１色成分表示データ、前記第２色成分表示データ及び前記第３色成分表示データの少なくとも１つの色成分表示データに対して、設定された階調補正範囲において、階調の補正処理を行い、
前記データ処理部は、
前記補正処理により得られた補正階調が所与の条件を満たす場合に、前記補正階調についてフレームレートコントロール階調制御を行い、
前記階調補正範囲は、
非境界範囲と、
階調補正範囲外と前記非境界範囲との間の境界範囲と、
を有し、
前記データ処理部は、
前記色成分表示データにより示される階調が前記境界範囲に含まれる前記所与の条件を満たした場合に、前記境界範囲に対応する前記補正階調に対して、前記フレームレートコントロール階調制御を行うことを特徴とする回路装置。
【請求項６】
複数の階調電圧を生成する階調電圧生成回路と、
第１色成分表示データ、第２色成分表示データ及び第３色成分表示データのデータ処理を行うデータ処理部と、
前記データ処理部から得られる前記データ処理後の前記第１色成分表示データ、前記第２色成分表示データ及び前記第３色成分表示データと、前記階調電圧生成回路から得られる前記第１色成分表示データ、前記第２色成分表示データ及び前記第３色成分表示データのそれぞれに対して共通に使用される前記複数の階調電圧とに基づいて、表示パネルを駆動する駆動部と、
を含み、
前記データ処理部は、
前記第１色成分表示データ、前記第２色成分表示データ及び前記第３色成分表示データの少なくとも１つの色成分表示データに対して、階調の補正処理を行い、前記補正処理により得られた補正階調が所与の条件を満たす場合に、前記補正階調についてはフレームレートコントロール階調制御を行い、
前記データ処理部は、
前記所与の条件を満たす場合に、前記補正階調に対して所与の差分値を加算又は減算した階調と、前記補正階調とのいずれかを、１又は複数のフレーム毎に選択する前記フレームレートコントロール階調制御を行い、
前記データ処理部は、
前記少なくとも１つの色成分表示データにおける第ｉの階調（ｉは、０≦ｉ≦２５５の整数）に対して前記補正処理を行って、第ｉの補正階調を求め、
前記色成分表示データにおける前記第ｉの階調の次の第ｊの階調（ｊは、ｊ＝ｉ＋１の整数）に対して前記補正処理を行って、第ｊの補正階調を求め、
前記第ｉの補正階調と前記第ｊの補正階調とが同じ階調であると判定される前記所与の条件を満たした場合に、前記フレームレートコントロール階調制御を行うことを特徴とする回路装置。
【請求項７】
請求項６において、
前記データ処理部は、
前記補正処理として、前記少なくとも１つの色成分表示データに対して、所与の係数αを乗算する乗算処理を行うことを特徴とする回路装置。
【請求項８】
請求項６において、
前記データ処理部は、
前記第ｉの階調に対して所与の係数αを乗算する乗算処理を行い、前記乗算処理の第ｉの結果に対して丸め込み処理を行って、前記第ｉの補正階調を求め、
前記第ｊの階調に対して前記乗算処理を行い、前記乗算処理の第ｊの結果に対して前記丸め込み処理を行って、前記第ｊの補正階調を求め、
前記第ｉの補正階調と前記第ｊの補正階調とが同じ階調であると判定される前記所与の条件を満たした場合に、前記第ｉの補正階調と、前記第ｉの補正階調に対して所与の差分値を加算又は減算した階調のいずれかを、１又は複数のフレーム毎に選択する前記フレームレートコントロール階調制御を行うことを特徴とする回路装置。
【請求項９】
請求項５乃至８のいずれかにおいて、
前記フレームレートコントロール階調制御を有効にするか、無効にするかを設定するレジスターを含むことを特徴とする回路装置。
【請求項１０】
請求項１乃至９のいずれかにおいて、
前記表示パネルは、
表示ラインに対応して設けられた第１走査線及び第２走査線のうちの前記第１走査線により選択される第１画素群と、前記第２走査線により選択される第２画素群を有し、
前記第１画素群の各画素と前記第２画素群の各画素により複数のデータ線の各データ線が共用されるパネルであることを特徴とする回路装置。
【請求項１１】
請求項１乃至１０のいずれかに記載の回路装置と、前記表示パネルと、を含むことを特徴とする電気光学装置。
【請求項１２】
請求項１乃至１０のいずれかに記載の回路装置を含むことを特徴とする電子機器。
【発明の詳細な説明】
【技術分野】
【０００１】
本発明は、回路装置、電気光学装置及び電子機器等に関係する。
【背景技術】
【０００２】
現在、モニターやＴＶ、ノートパソコン等の電子機器において、カラー液晶パネル（表示パネル）が多く用いられている。カラー液晶パネルでは、各ピクセルが例えばＲ、Ｇ、Ｂのサブピクセルにより構成されており、Ｒ、Ｇ、Ｂのサブピクセルの色の組み合わせによって、１つのピクセル全体で１つの色が表現される。Ｒ、Ｇ、Ｂのサブピクセルの色は、各々のサブピクセルに設けられたカラーフィルターを通過する光の輝度によって決定される。そして、各カラーフィルターを通過する光の輝度は、液晶パネルのソース電極（データ線）に供給される電圧によって決まる。この電圧を階調電圧と呼ぶ。電子機器には、階調電圧を制御して液晶パネルを駆動する回路装置を含む表示ドライバーが設けられる。
【０００３】
一般に、液晶パネルの入力（入力電圧、入力信号等）と出力（光透過率、明るさ等）は、直線的な正比例関係になく、液晶パネルは、使用される液晶材や製造ばらつき等に起因して、それぞれ固有のガンマ特性（輝度特性）を有している。また、同一の液晶パネルにおいて、Ｒ、Ｇ、Ｂの各々でもガンマ特性は異なる。すなわち、同じ液晶パネルのＲ、Ｇ、Ｂそれぞれのサブピクセルに対して、同じ階調電圧を供給した場合であっても、Ｒ、Ｇ、Ｂそれぞれの階調は異なってしまう。そのため、各液晶パネルのＲ、Ｇ、Ｂそれぞれのガンマ特性を考慮した階調電圧を、液晶パネルのソース電極に供給して、所望の階調を表現できるようにする必要がある。
【０００４】
例えば特許文献１では、Ｒ用、Ｇ用、Ｂ用の階調電圧生成回路を別個に設けた回路装置が開示されている。これらのＲ用、Ｇ用、Ｂ用の各階調電圧生成回路は、Ｒ用、Ｇ用、Ｂ用の複数の階調電圧を生成する。そして、Ｒ用、Ｇ用、Ｂ用のデコーダーは、表示データに基づいて、これらのＲ用、Ｇ用、Ｂ用の複数の階調電圧の中から選択した電圧を、アンプを介して表示パネルに出力することで、表示パネルを駆動する。
【０００５】
また、特許文献２の従来技術では、階調電圧生成回路のラダー抵抗を構成する各抵抗の抵抗値を調整することで、階調電圧の階調特性（ガンマカーブ）を補正している。
【先行技術文献】
【特許文献】
【０００６】
【特許文献１】特開２００４−２９７９５号公報
【特許文献２】特開２００６−３９２０５号公報
【発明の概要】
【発明が解決しようとする課題】
【０００７】
特許文献１において開示される従来技術では、Ｒ用、Ｇ用、Ｂ用の階調電圧生成回路を別個に設けているため、階調電圧生成回路全体の回路面積が増加してしまう。また、Ｒ用、Ｇ用、Ｂ用の多数の階調電圧線をそれぞれ設ける必要があるため、これによっても回路面積が増加する。このため、特許文献１の従来技術では、回路装置が大規模化してしまい、コスト増等の問題を招いてしまう。
【０００８】
そのため、Ｒ用、Ｇ用、Ｂ用のそれぞれの表示データ（第１色成分表示データ、第２色成分表示データ及び第３色成分表示データ）で、階調電圧生成回路から供給される階調電圧を共用できることが望ましい。その場合には、Ｒ、Ｇ、Ｂのそれぞれのガンマ特性に適するように、供給される共用の階調電圧の中から出力する階調電圧を選択する必要がある。
【０００９】
一方、特許文献２には、階調電圧生成回路で生成された階調電圧をＲ用、Ｇ用、Ｂ用の表示データで共用する場合の処理については開示されていない。
【００１０】
また、階調電圧生成回路で生成された階調電圧をＲ用、Ｇ用、Ｂ用の表示データで共用する際に、回路装置が、Ｒ用、Ｇ用、Ｂ用の階調電圧のうちの少なくとも２つの色成分用の階調電圧を液晶パネルに同時に供給する場合が考えられる。この場合、例えばホワイトバランス調整時に、ある特定の階調において、色付きや階調飛び等が発生することがある。すなわち、ある特定の階調において、階調性や色再現性が低下することがある。これは、液晶パネルに同時に供給された階調電圧のうちの、ある色成分表示データの階調電圧に対して、同時に供給された他の色成分表示データの階調電圧が高過ぎたり、低過ぎたりすること等が原因である。
【００１１】
本発明の幾つかの態様によれば、階調電圧生成回路で生成された階調電圧を複数の色成分表示データで共用し、少なくとも２つの色成分表示データの階調電圧を表示パネルに同時に供給する場合に、ある特定の階調における階調性及び色再現性の少なくとも一方の低下を抑制することができる回路装置、電気光学装置及び電子機器等を提供することができる。
【課題を解決するための手段】
【００１２】
本発明の一態様は、複数の階調電圧を生成する階調電圧生成回路と、第１色成分表示データ、第２色成分表示データ及び第３色成分表示データのデータ処理を行うデータ処理部と、前記データ処理部から得られる前記データ処理後の前記第１色成分表示データ、前記第２色成分表示データ及び前記第３色成分表示データと、前記階調電圧生成回路から得られる前記第１色成分表示データ、前記第２色成分表示データ及び前記第３色成分表示データのそれぞれに対して共通に使用される前記複数の階調電圧とに基づいて、表示パネルを駆動する駆動部と、を含み、前記データ処理部は、前記第１色成分表示データ、前記第２色成分表示データ及び前記第３色成分表示データの少なくとも１つの色成分表示データに対して、設定された階調補正範囲において、階調の補正処理を行う回路装置に関係する。
【００１３】
本発明の一態様では、階調電圧生成回路で生成された複数の階調電圧を、第１色成分表示データ及び第２色成分表示データ、第３色成分表示データで共用し、第１色成分表示データ及び第２色成分表示データ、第３色成分表示データのうちの少なくとも１つの色成分表示データに対して、設定された階調補正範囲において階調の補正処理を行う。そして、各入力階調に対応する階調電圧として選択された、各補正階調に対応する階調電圧を、データ線駆動部に出力する。
【００１４】
よって、階調電圧生成回路で生成された階調電圧を複数の色成分表示データで共用し、少なくとも２つの色成分表示データの階調電圧を表示パネルに同時に供給する場合に、ある特定の階調における階調性及び色再現性の少なくとも一方の低下を抑制することが可能となる。
【００１５】
また、本発明の一態様では、前記階調補正範囲を設定するレジスターを含んでいてもよい。
【００１６】
これにより、インターフェース部を介して入力されるコマンドにより、任意の階調補正範囲を設定すること等が可能になる。
【００１７】
また、本発明の一態様では、前記データ処理部は、前記少なくとも１つの色成分表示データに対して、所与の係数αを乗算する乗算処理を行い、前記階調補正範囲において、前記乗算処理後の前記色成分表示データに所与の値β１を加算又は減算する前記補正処理を行ってもよい。
【００１８】
これにより、各色成分固有のガンマ特性や表示パネル固有のガンマ特性に適合した階調電圧を選択し、ある特定の階調における階調性及び色再現性の少なくとも一方の低下を抑制すること等が可能になる。
【００１９】
また、本発明の一態様では、前記所与の係数α及び前記所与の値β１を設定するレジスターを含んでいてもよい。
【００２０】
これにより、インターフェース部を介して入力されるコマンドにより、所与の係数α及び所与の値β１を任意の値に設定すること等が可能になる。
【００２１】
また、本発明の一態様では、前記階調補正範囲は、非境界範囲と、階調補正範囲外と前記非境界範囲との間の境界範囲と、を有し、前記データ処理部は、前記乗算処理後の前記色成分表示データに対して、前記非境界範囲では、前記所与の値β１を用いて前記補正処理を行い、前記境界範囲では、前記所与の値β１よりも小さい値β２を用いて前記補正処理を行ってもよい。
【００２２】
これにより、階調補正範囲の境界範囲において、階調電圧が大きく変化することを抑制して、境界範囲における階調性の低下を抑制すること等が可能になる。
【００２３】
また、本発明の一態様では、前記階調補正範囲は、前記データ処理部に入力される前記第１の色成分表示データ、前記第２の色成分表示データ及び前記第３の色成分表示データの前記少なくとも１つの色成分表示データに対して設定される、高階調側の階調範囲と低階調側の階調範囲の間の範囲であってもよい。
【００２４】
これにより、人間の目で見た時に、階調性及び色再現性の少なくとも一方の低下が目立ちやすい範囲を階調範囲に設定することができる。
【００２５】
また、本発明の一態様では、前記データ処理部は、前記補正処理により得られた補正階調が所与の条件を満たす場合に、前記補正階調についてフレームレートコントロール階調制御を行ってもよい。
【００２６】
これにより、第１色成分表示データ及び第２色成分表示データ、第３色成分表示データの少なくとも１つにより示される入力階調の表示を疑似的に実現すること等が可能になる。
【００２７】
また、本発明の他の態様は、複数の階調電圧を生成する階調電圧生成回路と、第１色成分表示データ、第２色成分表示データ及び第３色成分表示データのデータ処理を行うデータ処理部と、前記データ処理部から得られる前記データ処理後の前記第１色成分表示データ、前記第２色成分表示データ及び前記第３色成分表示データと、前記階調電圧生成回路から得られる前記第１色成分表示データ、前記第２色成分表示データ及び前記第３色成分表示データのそれぞれに対して共通に使用される前記複数の階調電圧とに基づいて、表示パネルを駆動する駆動部と、を含み、前記データ処理部は、前記第１色成分表示データ、前記第２色成分表示データ及び前記第３色成分表示データの少なくとも１つの色成分表示データに対して、階調の補正処理を行い、前記補正処理により得られた補正階調が所与の条件を満たす場合に、前記補正階調についてはフレームレートコントロール階調制御を行う回路装置に関係する。
【００２８】
これにより、階調電圧生成回路で生成された階調電圧を複数の色成分表示データで共用し、少なくとも２つの色成分表示データの階調電圧を表示パネルに同時に供給する場合に、ある特定の階調における階調性及び色再現性の少なくとも一方の低下を抑制することができる。
【００２９】
また、本発明の他の態様では、前記データ処理部は、前記補正処理として、前記少なくとも１つの色成分表示データに対して、所与の係数αを乗算する乗算処理を行ってもよい。
【００３０】
これにより、ある色成分表示データの階調に対して他の色成分表示データの階調が適切な階調になるように、入力階調に所与の係数αを乗算して得られた補正階調の表示を疑似的に実現すること等が可能になる。
【００３１】
また、本発明の他の態様では、前記データ処理部は、前記所与の条件を満たす場合に、前記補正階調に対して所与の差分値を加算又は減算した階調と、前記補正階調とのいずれかを、１又は複数のフレーム毎に選択する前記フレームレートコントロール階調制御を行ってもよい。
【００３２】
これにより、階調電圧生成回路から供給されない階調電圧に対応する階調も疑似的に表現すること等が可能になる。
【００３３】
また、本発明の他の態様では、前記データ処理部は、前記少なくとも１つの色成分表示データにおける第ｉの階調（ｉは、０≦ｉ≦２５５の整数）に対して前記補正処理を行って、第ｉの補正階調を求め、前記色成分表示データにおける前記第ｉの階調の次の第ｊの階調（ｊは、ｊ＝ｉ＋１の整数）に対して前記補正処理を行って、第ｊの補正階調を求め、前記第ｉの補正階調と前記第ｊの補正階調とが同じ階調であると判定される前記所与の条件を満たした場合に、前記フレームレートコントロール階調制御を行ってもよい。
【００３４】
これにより、第ｉの補正階調と第ｊの補正階調とが同じ階調である場合に、元の第ｉの階調と元の第ｊの階調が異なる階調に見えるように表示すること等が可能になる。
【００３５】
また、本発明の他の態様では、前記データ処理部は、前記第ｉの階調に対して所与の係数αを乗算する乗算処理を行い、前記乗算処理の第ｉの結果に対して丸め込み処理を行って、前記第ｉの補正階調を求め、前記第ｊの階調に対して前記乗算処理を行い、前記乗算処理の第ｊの結果に対して前記丸め込み処理を行って、前記第ｊの補正階調を求め、前記第ｉの補正階調と前記第ｊの補正階調とが同じ階調であると判定される前記所与の条件を満たした場合に、前記第ｉの補正階調と、前記第ｉの補正階調に対して所与の差分値を加算又は減算した階調のいずれかを、１又は複数のフレーム毎に選択する前記フレームレートコントロール階調制御を行ってもよい。
【００３６】
これにより、第ｉの補正階調と第ｊの補正階調とが同じ階調である場合に、元の第ｉの階調と元の第ｊの階調が異なる階調に見えるように表示すること等が可能になる。
【００３７】
また、本発明の他の態様では、前記階調補正範囲は、非境界範囲と、階調補正範囲外と前記非境界範囲との間の境界範囲と、を有し、前記データ処理部は、前記色成分表示データにより示される階調が前記境界範囲に含まれる前記所与の条件を満たした場合に、前記境界範囲に対応する前記補正階調に対して、前記フレームレートコントロール階調制御を行ってもよい。
【００３８】
これにより、階調補正範囲の境界範囲において、きめ細かな階調制御を行うこと等が可能になる。
【００３９】
また、本発明の他の態様では、前記フレームレートコントロール階調制御を有効にするか、無効にするかを設定するレジスターを含んでいてもよい。
【００４０】
これにより、インターフェース部を介して入力されるコマンドにより、フレームレートコントロール階調制御を有効にするか、無効にするかを設定すること等が可能になる。
【００４１】
また、本発明の他の態様では、前記表示パネルは、表示ラインに対応して設けられた第１走査線及び第２走査線のうちの前記第１走査線により選択される第１画素群と、前記第２走査線により選択される第２画素群を有し、前記第１画素群の各画素と前記第２画素群の各画素により複数のデータ線の各データ線が共用されるパネルであってもよい。
【００４２】
これにより、表示パネルのデータ線の本数を削減すること等が可能になる。
【００４３】
また、本発明の他の態様では、前記回路装置と、前記表示パネルと、を含む電気光学装置に関係する。
【００４４】
また、本発明の他の態様では、前記回路装置を含む電子機器に関係する。
【図面の簡単な説明】
【００４５】
【図１】本実施形態の回路装置の構成例の説明図。
【図２】階調電圧生成回路から供給される階調電圧の説明図。
【図３】レジスターの構成例の説明図。
【図４】階調電圧生成回路及びＤ／Ａ変換回路の具体的な構成例の説明図。
【図５】階調特性の説明図。
【図６】階調電圧生成回路に含まれる可変抵抗回路の説明図。
【図７】所与の係数αを乗算した時の階調特性の説明図。
【図８】ある階調範囲におけるＲとＢの入力階調と階調電圧の関係の説明図。
【図９】Ｂの階調の補正処理後の階調電圧の説明図。
【図１０】入力階調及びそれに対応付けられた補正階調、階調電圧の説明図。
【図１１】階調の補正処理の具体的な結果の説明図。
【図１２】フレームレートコントロール階調制御の具体的な選択パターンの説明図。
【図１３】階調の補正処理と、ＦＲＣを実行するか否かの決定処理の流れを説明するフローチャート。
【図１４】表示パネルの具体的な構成例の説明図。
【図１５】電子機器及び電気光学装置の構成例の説明図。
【発明を実施するための形態】
【００４６】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００４７】
１．概要
前述した特許文献１に示されるように、Ｒ用、Ｇ用、Ｂ用の階調電圧生成回路を別個に設けると、階調電圧生成回路全体の回路面積が増加し、回路装置の大規模化やコスト増等の問題を招いてしまう。
【００４８】
そのため、以下で説明する本実施形態では、Ｒ用、Ｇ用、Ｂ用のそれぞれの表示データ（第１色成分表示データ、第２色成分表示データ及び第３色成分表示データ）で、階調電圧生成回路から供給される階調電圧を共用できるようにする。これにより、階調電圧生成回路の回路面積と階調電圧線の数の増加を抑制し、回路装置を小型化する（例えばＩＣの短辺を短くする）ことが可能になる。これに伴い、回路装置の製造にかかるコストも削減することが可能になる。
【００４９】
しかし、Ｒ、Ｇ、Ｂそれぞれのガンマ特性は異なっているため、本来Ｒ、Ｇ、Ｂのそれぞれで同じ階調を表現する場合には、その階調に対する階調電圧はＲ、Ｇ、Ｂのそれぞれで僅かに異なるはずである。前述したように、Ｒ用、Ｇ用、Ｂ用のそれぞれの表示データで階調電圧を共用する場合、例えば後述する図２の表に示すように、Ｒ用、Ｇ用、Ｂ用のそれぞれの表示データにより階調３が入力された際には、Ｒ、Ｇ、Ｂ全てに対して同じ階調電圧Ｖ３が出力されてしまう。すなわち、例えば階調ｍ（ｍは０≦ｍ≦２５５の整数）が入力された際には、Ｒ、Ｇ、Ｂ全てに対して同じ階調電圧Ｖｍが出力されてしまい、階調ｎ（ｎは０≦ｎ≦２５５、ｍ≠ｎの整数）が入力された際には、Ｒ、Ｇ、Ｂ全てに対して同じ階調電圧Ｖｎが出力されてしまう。これでは、出力される階調電圧が、Ｒ、Ｇ、Ｂのそれぞれのガンマ特性に適合した階調電圧であるとは言えず、高い色再現性や高い階調性を期待することはできない。
【００５０】
そこで、本実施形態では、Ｒ、Ｇ、Ｂのそれぞれのガンマ特性に適するように、色成分表示データ毎に、共用の階調電圧の中から出力する階調電圧を選択する。具体的には、Ｒ用、Ｇ用、Ｂ用のそれぞれの表示データが示す階調（階調値、入力階調）に対して、Ｒ用、Ｇ用、Ｂ用それぞれで異なる所与の係数α（αＲ、αＧ、αＢ）を乗算する。所与の係数α（αＲ、αＧ、αＢ）は、例えばＲ、Ｇ、Ｂそれぞれのガンマ特性や、表示パネル固有のガンマ特性等を考慮して設定された係数である。そして、所与の係数αを乗算した階調に対応する階調電圧を、元の入力階調に対応する階調電圧とする。例えば、Ｇ用の入力階調として３が入力された場合には、入力階調３に対してＧ用の所与の係数αＧを乗算し、階調３×αＧを算出する。そして、階調３×αＧに対応する階調電圧Ｖ３×αＧを、元の入力階調３に対応する階調電圧として選択する。その他のＲとＢについても同様である。これにより、Ｒ、Ｇ、Ｂそれぞれのガンマ特性や表示パネル固有のガンマ特性に適合した階調電圧を選択して、表示パネルに出力することができる。
【００５１】
また、本実施形態では、表示パネルとしてデュアルゲートを備えた液晶パネルを用いる。デュアルゲートを備えた液晶パネルを用いる場合には、回路装置が、Ｒ用、Ｇ用、Ｂ用の階調電圧を液晶パネルに同時に供給する必要がある。例えば、図１４を用いて後述するように、ゲート線Ｇ１が選択されるタイミングでは、データ線Ｓ１がサブピクセルＳＰ１Ｒに対してＲ用の階調電圧を供給し、同時に、データ線Ｓ２がサブピクセルＳＰ１Ｂに対してＢ用の階調電圧を供給し、さらにデータ線Ｓ３がサブピクセルＳＰ２Ｇに対してＧ用の階調電圧を供給する。また、図１４の例において、例えばゲート線Ｇ２が選択されるタイミングには、データ線Ｓ１がサブピクセルＳＰ１Ｇに対してＧ用の階調電圧を供給し、同時に、データ線Ｓ２がサブピクセルＳＰ２Ｒに対してＲ用の階調電圧を供給し、さらにデータ線Ｓ３がサブピクセルＳＰ２Ｂに対してＢ用の階調電圧を供給する。
【００５２】
このように、回路装置が、階調電圧生成回路で生成された階調電圧をＲ用、Ｇ用、Ｂ用の表示データで共用し、かつ、Ｒ用、Ｇ用、Ｂ用の階調電圧のうちの少なくとも２つの階調電圧を液晶パネルに同時に供給する場合には、ある特定の階調において、階調性や色再現性が低下することがある。例えばホワイトバランス調整時に、ある特定の階調において、例えば色付きや階調飛び等が発生することがある。これは、図８を用いて後述するように、液晶パネルに同時に供給された階調電圧のうちの、ある色成分表示データの階調電圧に対して、同時に供給された他の色成分表示データの階調電圧が高過ぎたり、低過ぎたりすること等が原因である。例えば、モノクロ表示を行ったにも関わらず、ある階調において、黄色味がかった色が表示される場合には、ＲとＧの階調電圧に対してＢの階調電圧が弱過ぎたり、又はＢの階調電圧に対してＲとＧの階調電圧が強過ぎたりすること等が原因として考えられる。
【００５３】
そこで、本実施形態では、図９を用いて後述するように、階調性や色再現性が低下する可能性が高い階調範囲（階調補正範囲）ＧＣＲにおいて、前述した入力階調に所与の係数αを乗算した後、所与の値β１を加算又は減算して、補正階調を算出する。そして、算出した補正階調に対応する階調電圧を、入力階調の階調電圧として選択して、表示パネルに出力する。例えば、後述する図１１の表の右端の列の例では、５３〜７４の階調補正範囲ＧＣＲの各階調に対して、α＝０．９４を乗算し、乗算結果に対して小数点以下の切り捨て処理を行った後に、β１＝−１を加算して、補正階調を算出している。所与の値β１は、ある色成分表示データの階調電圧が、同時に供給される他の色成分表示データの階調電圧に対応する階調電圧になるように調整するために用いる値であり、任意の値に設定可能である。
【００５４】
これにより、階調電圧生成回路で生成された階調電圧を複数の色成分表示データで共用し、少なくとも２つの色成分表示データの階調電圧を表示パネルに同時に供給する場合に、ある特定の階調における階調性及び色再現性の少なくとも一方の低下を抑制することができる。
【００５５】
また、本実施形態では、フレームレートコントロール階調制御（以下、ＦＲＣ（Frame Rate Control）と呼ぶ。）を行うことによっても、ある特定の階調における階調性及び色再現性の向上を図る。具体的には、入力階調に対して所与の係数αを乗算し、乗算結果に対して小数点以下の切り捨て処理を行って得られた補正階調が、前後の補正階調と同じ値である場合に、ＦＲＣを行う。例えば図１１に示すように、入力階調６７に対する補正階調が６２であり、入力階調６６に対する補正階調も６２である場合に、入力階調６７に対してＦＲＣを行う。ＦＲＣでは、例えば後述する図１２に示すように、フレーム毎に選択する階調を変更して、残像効果によって、６２．５などの小数点を含む階調の表示を疑似的に実現する。これによっても、前述したように、ある特定の階調における階調性及び色再現性の少なくとも一方の低下を抑制することができる。
【００５６】
２．回路装置
図１に、本実施形態の回路装置１００（表示ドライバー）の構成例を示す。回路装置１００は、インターフェース部１０（インターフェース回路）、データ処理部２０（データ処理回路）、階調電圧生成回路３５、Ｄ／Ａ変換部３０（Ｄ／Ａ変換回路）、駆動部６０（駆動回路）、レジスター７０、第１色成分入力端子ＴＲＤ、第２色成分入力端子ＴＧＤ、第３色成分入力端子ＴＢＤ、クロック入力端子ＴＰＣＫ、インターフェース端子ＴＭＰＩ、データ線駆動端子ＴＳ１〜ＴＳｎ（ｎは２以上の整数）、ゲート線駆動端子ＴＧ１〜ＴＧｍ（ｍは２以上の整数）を含む。駆動部６０は、データ線駆動部４０（データ線駆動回路）、ゲート線駆動部５０（ゲート線駆動回路）を含む。回路装置１００は例えば集積回路装置（ＩＣ）等で実現される。なお、回路装置１００は、図１の構成に限定されず、これらの一部の構成要素を省略したり、他の構成要素を追加したりするなどの種々の変形実施が可能である。
【００５７】
インターフェース部１０は、外部の処理装置（表示コントローラー。例えばＭＰＵやＣＰＵ、ＡＳＩＣ等）との間の通信を行う。通信は、例えば画像データの転送やクロック信号、同期信号の供給、コマンド（又は制御信号）の転送等である。またインターフェース部１０は、端子設定（実装基板上で設定された端子の入力レベル）を受け付ける。インターフェース部１０は、例えばＩ／Ｏバッファー等で構成される。
【００５８】
データ処理部２０は、インターフェース部１０を介して入力された画像データやクロック信号、同期信号、コマンド等に基づいて、画像データのデータ処理やタイミング制御、回路装置１００の各部の制御等を行う。画像データのデータ処理では、例えば第１色成分表示データ及び第２色成分表示データ、第３色成分表示データ等の色成分表示データが示す階調の補正処理などの画像処理等を行う。タイミング制御では、同期信号や画像データに基づいて表示パネルのゲート線の駆動タイミング（選択タイミング）やデータ線の駆動タイミングを制御する。データ処理部２０は、例えばゲートアレイ等のロジック回路で構成される。
【００５９】
階調電圧生成回路３５は、複数の階調電圧を生成して、Ｄ／Ａ変換部３０に出力する。例えば図２の表に示すように、生成される各階調電圧（Ｖ０〜Ｖ２５５）は複数の階調の各階調（０〜２５５）に対応している。また、本実施形態では、階調電圧生成回路３５から出力される階調電圧を、複数の色成分表示データ（例えば第１色成分表示データ及び第２色成分表示データ、第３色成分表示データ等）で共用するため、色成分表示データ毎に階調電圧生成回路３５を設ける必要はない。このように、階調電圧生成回路３５で生成された複数の階調電圧を、第１色成分表示データ及び第２色成分表示データ、第３色成分表示データで共用される構成を採用することで、階調電圧生成回路３５の回路面積を縮小できると共に、階調電圧線の配線面積を縮小でき、回路装置の小規模化を実現できる。
【００６０】
Ｄ／Ａ変換部３０は、データ処理部２０からの画像データ（入力階調）を階調電圧（データ電圧）にＤ／Ａ変換する。例えば、Ｄ／Ａ変換部３０は、Ｄ／Ａ変換回路３２（複数の電圧選択回路）を含む。Ｄ／Ａ変換回路３２は、階調電圧生成回路３５からの複数の階調電圧の中から、画像データ（入力階調）に対応する階調電圧を選択する。例えば後述する図４に示すように、階調電圧生成回路３５はラダー抵抗等で構成され、Ｄ／Ａ変換回路３２はスイッチ回路等で構成される。階調電圧生成回路３５及びＤ／Ａ変換回路３２の具体的な構成については、図４〜図６を用いて後に詳述する。
【００６１】
駆動部６０は、データ処理部２０から得られるデータ処理後の第１色成分表示データ、第２色成分表示データ及び第３色成分表示データと、階調電圧生成回路３５から得られる第１色成分表示データ、第２色成分表示データ及び第３色成分表示データのそれぞれに対して共通に使用される複数の階調電圧とに基づいて、表示パネルを駆動する。
【００６２】
駆動部６０のデータ線駆動部４０は、Ｄ／Ａ変換部３０からの階調電圧に基づいてデータ線駆動電圧ＳＶ１〜ＳＶｎをデータ線駆動端子ＴＳ１〜ＴＳｎに出力し、表示パネルのデータ線を駆動する。データ線駆動電圧ＳＶ１〜ＳＶｎは、対応するデータ線駆動端子ＴＳ１〜ＴＳｎに供給される電圧である。データ線駆動電圧ＳＶ１〜ＳＶｎの各電圧としては、階調電圧生成回路３５により生成される階調電圧（例えばＶ０〜Ｖ２５５）のうちのいずれかの電圧が、Ｄ／Ａ変換部３０により画像データに基づいて選択される。
【００６３】
また、データ線駆動部４０は、複数のデータ線駆動端子に対応して設けられる複数のデータ線駆動回路を含む。各データ線駆動回路は、１つのデータ線駆動端子又は複数のデータ線駆動端子に対応して設けられている。データ線駆動回路が複数のデータ線駆動端子に対応して設けられる場合、そのデータ線駆動回路は、時分割に複数のデータ線を駆動する。なお、Ｄ／Ａ変換部３０には、例えば各データ線駆動回路に対応して１つのＤ／Ａ変換回路３２が設けられている。
【００６４】
駆動部６０のゲート線駆動部５０は、ゲート線駆動電圧ＧＶ１〜ＧＶｍをゲート線駆動端子ＴＧ１〜ＴＧｍに出力し、表示パネルのゲート線を駆動（選択）する。例えばシングルゲートの表示パネルでは、１つの水平走査期間において１本のゲート線を選択する。或いは、デュアルゲート、トリプルゲートの表示パネルでは、それぞれ１つの水平走査期間において２本、３本のゲート線を時分割に選択する。ゲート線駆動部５０は、例えば複数の電圧出力回路（バッファー、アンプ）で構成され、例えば各ゲート線駆動端子に対応して１つの電圧出力回路が設けられる。
【００６５】
レジスター（記憶回路）７０は、後に詳述する階調補正範囲及び所与の係数α、所与の値β１、フレームレートコントロール階調制御を有効にするか、無効にするか等を設定可能である。例えば、レジスター７０は、図３に示すように、階調補正範囲を設定する階調補正範囲設定領域７１と、所与の係数αを設定するα設定領域７３と、所与の値β１を設定するβ設定領域７５と、フレームレートコントロール階調制御のＯＮ／ＯＦＦを設定するＦＲＣＯＮ／ＯＦＦ設定領域７７と、を有する。レジスター７０は、例えばラッチやＲＡＭ、不揮発性メモリー、ヒューズ等により実現可能である。不揮発性メモリーは、例えばＯＴＰ（One Time Programmable）回路等により実現可能である。ＯＴＰ回路は、例えばフローティングゲートを有するメモリートランジスターと、このメモリートランジスターに書き込んだビットデータを保持するラッチ回路とを備えるメモリーセルで構成され、一度だけ書き込みが可能ないわゆる不揮発性メモリーである。
【００６６】
そして例えば、レジスター７０が外部の処理装置からアクセス可能なもの（ラッチやＲＡＭ）である場合、インターフェース端子ＴＭＰＩからインターフェース部１０に入力されるコマンドには、階調補正範囲及び所与の係数α、所与の値β１、フレームレートコントロール階調制御を有効にするか、無効にするか等の各種設定が含まれている。これらのコマンドを受け付けたインターフェース部１０は、コマンドに含まれる各種設定をレジスター７０に書き込む。或いは、レジスター７０が不揮発性メモリーやヒューズである場合、例えば製造時において不揮発性メモリーやヒューズに、階調補正範囲及び所与の係数α、所与の値β１等の各種設定が設定される。そして、データ処理部２０が、レジスター７０から、各種設定を読み出して、各種処理を行う。
【００６７】
これにより、例えばインターフェース部１０を介して入力されるコマンド等により、任意の階調補正範囲を設定すること等が可能になる。同様に、例えばインターフェース部１０を介して入力されるコマンド等により、所与の係数α、所与の値β１を任意の値に設定すること等が可能になり、フレームレートコントロール階調制御を有効にするか、無効にするかも設定すること等も可能になる。
【００６８】
３．階調電圧生成回路及びＤ／Ａ変換回路
図４に階調電圧生成回路３５とＤ／Ａ変換回路３２の構成例を示す。この階調電圧生成回路３５は、ラダー抵抗回路１２０、階調電圧設定回路１３０、制御回路１４０を含む。そして、Ｄ／Ａ変換回路３２はスイッチ回路等で構成される。
【００６９】
ここでラダー抵抗回路１２０は、高電位側電源（電源電圧）ＶＤＤＲＨと低電位側電源（電源電圧）ＶＤＤＲＬの間を、例えば１３個の可変抵抗回路（Ｒ１〜Ｒ１３）により抵抗分割し、複数の抵抗分割ノードＲＴ０〜ＲＴ２５５の各抵抗分割ノードに複数の階調電圧Ｖ０〜Ｖ２５５の各階調電圧を出力する。例えば図４では、２５６階調の場合を例示しており、Ｖｉ（ｉは、０≦ｉ≦２５５の整数）が階調値ｉに対応する階調電圧を示す。なお、以下の説明においても、２５６階調の場合について説明するが、本実施形態はそれに限定されない。
【００７０】
そして、制御回路１４０は、階調レジスター部１４２、アドレスデコーダー１４４を含む。階調レジスター部１４２には、データ処理部２０（ロジック回路）からの階調調整データ（階調特性を調整するためのデータ）が書き込まれる。アドレスデコーダー１４４は、ロジック回路からのアドレス信号をデコードし、アドレス信号に対応するレジスターアドレス信号を出力する。階調レジスター部１４２では、ロジック回路からのラッチ信号に基づいて、アドレスデコーダー１４４からのレジスターアドレス信号がアクティブとなっているレジスターに対して、階調調整データが書き込まれる。
【００７１】
階調電圧設定回路１３０（階調セレクター）は、階調レジスター部１４２に書き込まれた階調調整データに基づいて、抵抗分割ノードＲＴ０〜ＲＴ２５５に出力される階調電圧を可変に設定（制御）する。具体的には例えば、ラダー抵抗回路１２０が含む複数の可変抵抗回路（Ｒ１〜Ｒ１３）の抵抗値を可変に制御することで、階調電圧を可変に設定する。
【００７２】
また、Ｄ／Ａ変換回路３２は、画像データに基づいてスイッチ回路のＯＮ／ＯＦＦ制御を行い、階調電圧生成回路３５から出力される複数の階調電圧Ｖ０〜Ｖ２５５の中から、画像データを表示するために必要な階調電圧を選択して、データ線駆動部４０に出力する。
【００７３】
なお、階調電圧生成回路及びＤ／Ａ変換回路は図４の構成に限定されず、種々の変形実施が可能であり、図４の構成要素の一部を省略したり、他の構成要素を追加したりしてもよい。例えば正極性用のラダー抵抗回路と負極性用のラダー抵抗回路を設けたり、階調電圧信号のインピーダンス変換を行う回路（ボルテージフォロワー接続のオペアンプ）を設けたりしてもよい。或いは、階調電圧生成回路に選択用電圧生成回路と階調電圧選択回路を含ませてもよい。この場合には、選択用電圧生成回路が含むラダー抵抗回路により分割した電圧を、複数の選択用電圧として出力する。そして階調電圧選択回路は、選択用電圧生成回路からの選択用電圧の中から、階調調整データに応じて、例えば２５６階調の場合には２５６個（広義にはＳ個）の電圧を選択して、階調電圧Ｖ０〜Ｖ２５５として出力する。
【００７４】
図４の階調電圧生成回路３５では、図５のＣ１、Ｃ２、Ｃ３等に示す各区間での階調特性の傾きを可変に制御することで、階調特性を調整する。これらの各区間での階調特性の傾きの制御は、これらの各区間に対応するラダー抵抗回路１２０の可変抵抗回路の抵抗値を制御することで実現できる。
【００７５】
次に、図６にラダー抵抗回路１２０が含む可変抵抗回路の構成例を示す。ラダー抵抗回路１２０では、図６に示す構成の複数の可変抵抗回路が、高電位側電源ＶＤＤＲＨ、低電位側電源ＶＤＤＲＬの間に直列に設けられている。図６のＶＨは高電位側電源ＶＤＤＲＨ側のノードであり、ＶＬは低電位電源側のノードである。
【００７６】
図６において、上側（前段）の可変抵抗回路との接続ノードであるＮＨと、下側（後段）の可変抵抗回路との接続ノードであるＮＬとの間には、複数の抵抗Ｒｉ＋４〜Ｒｉが直列に設けられている。これらのＲｉ＋４〜Ｒｉの各抵抗の間のノードが、抵抗分割ノードＲＴｉ＋３〜ＲＴｉになり、これらの抵抗分割ノードＲＴｉ＋３〜ＲＴｉに階調電圧Ｖｉ＋３〜Ｖｉが生成されて出力される。
【００７７】
ノードＮＨとノードＮＲ１、ＮＲ２、ＮＲ３、ＮＲ４の間にはトランジスターで構成されるスイッチング素子ＳＷ１、ＳＷ２、ＳＷ３、ＳＷ４が設けられている。またノードＮＲ１とＮＬの間、ＮＲ２とＮＲ１の間、ＮＲ３とＮＲ２の間、ＮＲ４とＮＲ３の間には、調整用の抵抗Ｒｊ、Ｒｊ＋１、Ｒｊ＋２、Ｒｊ＋３が設けられている。
【００７８】
図６では、スイッチング素子ＳＷ１〜ＳＷ４をオン・オフ制御することで、ノードＮＨ、ＮＬ間の総抵抗値が変化する。例えばスイッチング素子ＳＷ１〜ＳＷ４が全てオフである場合には、ノードＮＨ、ＮＬ間の総抵抗値はＲｉ＋４＋Ｒｉ＋３＋Ｒｉ＋２＋Ｒｉ＋１＋Ｒｉになる。一方、スイッチング素子ＳＷ１だけがオンになると、ノードＮＨ、ＮＬ間の総抵抗値は、Ｒｉ＋４＋Ｒｉ＋３＋Ｒｉ＋２＋Ｒｉ＋１＋Ｒｉと、Ｒｊの並列抵抗値になる。またスイッチング素子ＳＷ２だけがオンになると、総抵抗値はＲｉ＋４＋Ｒｉ＋３＋Ｒｉ＋２＋Ｒｉ＋１＋Ｒｉと、Ｒｊ＋Ｒｊ＋１の並列抵抗値になる。
【００７９】
このように、スイッチング素子ＳＷ１〜ＳＷ４のオン・オフ制御が行われ、ノードＮＨ、ＮＬ間の総抵抗値が変化すると、その可変抵抗回路の区間に対応する図５の階調特性の傾きが変化する。これにより、階調特性を可変に制御できる。この場合に図４の階調電圧設定回路１３０は、階調レジスター部１４２に書き込まれた階調調整データに基づいて、スイッチング素子ＳＷ１〜ＳＷ４をオン・オフ制御するためのスイッチング信号を生成して、ラダー抵抗回路１２０に出力する。
【００８０】
４．処理の詳細
次に、本実施形態の処理の詳細について説明する。本実施形態では、前述したように、Ｒ、Ｇ、Ｂの各ガンマ特性や表示パネル固有のガンマ特性に適した階調電圧にするために、共用の階調電圧の中から出力する階調電圧を選択する。具体的には、Ｒ用、Ｇ用、Ｂ用のそれぞれの表示データが示す入力階調に対して、Ｒ用、Ｇ用、Ｂ用それぞれで異なる所与の係数α（αＲ、αＧ、αＢ）を乗算する。そして、所与の係数αを乗算して得られた階調に対応する階調電圧を、元の入力階調に対応する階調電圧とする。
【００８１】
ここで、所与の係数α（αＲ、αＧ、αＢ）は、入力階調に乗算するために用いられる係数であり、例えばＲ、Ｇ、Ｂそれぞれのガンマ特性や、表示パネル固有のガンマ特性等を考慮して設定された係数である。所与の係数αは、前述したように、インターフェース部１０にコマンドを入力することにより、レジスター７０に設定することが可能である。所与の係数αは、Ｒ、Ｇ、Ｂそれぞれに対して個別の値であることを想定しているが、必ずしもそれには限定されず、２つの色成分表示データにおいて共通の値であってもよい。
【００８２】
この場合の入力階調と階調電圧の関係を図７のグラフに図示する。図７のグラフは、横軸が入力階調（階調）を表し、縦軸が入力階調に対応する階調電圧を表す。縦軸の階調電圧は、入力階調に対して、所与の係数αの乗算処理を行って得られた階調に基づいて求められている。また、図７の例では、αＲ＝０．９９、αＧ＝１．００、αＢ＝０．９３とする。例えば図７の例において、Ｂの入力階調が２５５である場合には、αＢを乗算した後の階調は２３７（小数点以下切り捨て）になる。そして、前述した図２の対応表に基づいて、階調２３７に対応する階調電圧Ｖ２３７が選択され、Ｂの入力階調２５５の階調電圧としてＶ２３７が表示パネルに供給される。
【００８３】
また、本実施形態では、前述したように、表示パネルとしてデュアルゲートを備えた液晶パネルを用いる。デュアルゲートを備えた液晶パネルを用いる場合には、図１４を用いて後述するように、回路装置１００が、Ｒ用、Ｇ用、Ｂ用の階調電圧を液晶パネルに同時に供給する。
【００８４】
このように、回路装置１００が、階調電圧生成回路３５で生成された階調電圧をＲ用、Ｇ用、Ｂ用の表示データで共用し、かつ、Ｒ用、Ｇ用、Ｂ用の階調電圧のうちの少なくとも２つの階調電圧を液晶パネルに同時に供給する場合には、ある特定の階調において、階調性や色再現性が低下することがある。例えばホワイトバランス調整時に、ある特定の階調において、例えば色付きや階調飛び等が発生することがある。
【００８５】
これは、液晶パネルに同時に供給された階調電圧のうちの、ある色成分表示データの階調電圧に対して、同時に供給された他の色成分表示データの階調電圧が高過ぎたり、低過ぎたりすること等が原因である。
【００８６】
ここで、例えば、ある階調範囲におけるＲとＢの入力階調と階調電圧の関係を図８のグラフに示す。図８の横軸に示す入力階調は、全階調から一部を抜粋して、拡大して図示したものである。また、縦軸に示す階調電圧は、図７のグラフと同様に、入力階調に所与の係数α（αＲ、αＢ）を乗算した階調により求められた階調電圧である。図８の横軸の階調としては整数が入力されるため、縦軸に対応する階調電圧は離散的な値を取る。例えば、階調（４９、５０、５１・・・）に対して階調電圧（Ｖ４９、Ｖ５０、Ｖ５１・・・）となる。図８の入力階調と階調電圧の関係を表す折れ線は、各階調電圧に対応する点を繋いで得られた線である。
【００８７】
また、図８のＲＣ１、ＲＣ２、ＲＣ３、ＢＣ０、ＢＣ１、ＢＣ２、ＢＣ３の各点は、図５を用いて前述した階調特性の変化点を表しており、ＲＣ１、ＲＣ２、ＲＣ３、ＢＣ０、ＢＣ１、ＢＣ２、ＢＣ３の各変化点の前後で、階調特性（グラフの傾き）が変化する。なお、図８では、説明の簡略化のために、Ｇの階調特性については記載を省略している。
【００８８】
このような場合に、所与の係数αＲ及びαＢの組み合わせによっては、階調特性（グラフの傾き）の変化点に対応する入力階調が、ＲとＢで変わってしまう。例えば、Ｒの階調特性は、変化点ＲＣ１、ＲＣ２、ＲＣ３のそれぞれに対応する入力階調ｒｐ１、ｒｐ２、ｒｐ３で変化するが、入力階調がｒｐ１、ｒｐ２、ｒｐ３のいずれかである時にも、Ｂの階調特性は変化しない。一方で、Ｂの階調特性は、変化点ＢＣ０、ＢＣ１、ＢＣ２、ＢＣ３のそれぞれに対応する入力階調ｂｐ０、ｂｐ１、ｂｐ２、ｂｐ３で変化する。すなわち、Ｒの階調の変化度合いが階調ｒｐ１、ｒｐ２、ｒｐ３で変わるのに対して、Ｂの階調の変化度合いは階調ｂｐ０、ｂｐ１、ｂｐ２、ｂｐ３で変わる。
【００８９】
その結果、例えば階調ｍにおいては、Ｒｍの階調電圧に対してＢｍの階調電圧が適切な電圧であったとしても、階調ｎにおいて、Ｒｎの階調電圧に対してＢｎの階調電圧が低く過ぎるということが起こり得る（ｍ、ｎは、０≦ｍ＜ｎ≦２５５の整数）。図８の例では、ＲｍとＢｍの差がＧＰ１であるのに対して、ＲｎとＢｎの差はＧＰ１よりも大きいＧＰ２になっている。この場合、例えばＧもＲとＢと同じ入力階調にするとして、階調ｍでは適切なグレー表示が出来ていても、階調ｎでは黄色味がかかった色が表示されてしまうことがある。この問題は、階調電圧生成回路３５から供給される階調電圧を、Ｒ用、Ｇ用、Ｂ用の表示データで共用し、かつＲ用、Ｇ用、Ｂ用の階調電圧を同時に出力する場合に顕著に表れる。なお、図８の例では、Ｒに対してＢが低過ぎる場合を例にとって説明したが、他にも、Ｇの階調電圧に対してＢの階調電圧が低過ぎる場合や、Ｂの階調電圧に対してＲとＧの階調電圧が高過ぎる場合にも同様の現象が確認できる。
【００９０】
そこで、本実施形態では、図９に示すように、階調性や色再現性が低下する可能性が高い階調範囲（階調補正範囲）ＧＣＲにおいて、階調の補正処理を行って、補正階調を算出する。以下では、補正処理の結果として得られた階調を、補正階調と呼ぶ。そして、算出した補正階調に対応する階調電圧を、入力階調の階調電圧として選択して、表示パネルに出力する。図９は、図８のグラフと同様のグラフであり、Ｂについて階調の補正処理を行った場合の階調特性を示している。図９の例では、例えば入力階調ｎに対するＢの補正階調を算出して、階調ｎの階調電圧に対応する点Ｂｎ’と点Ｒｎとの差を、図８に示すＧＰ２よりも小さいＧＰ３に改善している。
【００９１】
この時、データ処理部２０は、第１色成分表示データ、第２色成分表示データ及び第３色成分表示データの少なくとも１つの色成分表示データに対して、設定された階調補正範囲において、階調の補正処理を行う。
【００９２】
ここで、第１色成分表示データは、例えばＲ用の表示データのことであり、図１に示す第１色成分入力端子ＴＲＤからインターフェース部１０に入力される表示データＲＤのことである。また、第２色成分表示データは、例えばＧ用の表示データのことであり、図１に示す第２色成分入力端子ＴＧＤからインターフェース部１０に入力される表示データＧＤのことである。そして、第３色成分表示データは、例えばＢ用の表示データのことであり、図１に示す第３色成分入力端子ＴＢＤからインターフェース部１０に入力される表示データＢＤのことである。
【００９３】
例えば２５６階調で表示パネルを制御する場合には、各色成分表示データは、例えば０〜２５５のいずれかの階調を示す情報を含む。以下では、各色成分表示データにより指定される階調のことを、入力階調と呼ぶ。なお、本実施形態は２５６階調に限定されるものではない。
【００９４】
そして、例えば１ピクセル（又は１サブピクセル）の表示データＲＤが８ビット（最大で８ビット）である場合、入力端子ＴＲＤは実際には８個の端子であり、その８個の端子から８ビットの表示データＲＤが入力される。そして、クロック入力端子ＴＰＣＫから入力されるクロック信号ＰＣＫ（ピクセルクロック）に同期して複数ピクセルの表示データＲＤがシリアルに入力される。表示データＧＤ、ＢＤについても同様である。
【００９５】
なお、本実施形態では、３色の色成分表示データが入力される場合について説明するが、本実施形態はこれに限定されない。例えば、４色の色成分表示データが入力される場合には、Ｒ、Ｇ、Ｂの他にＷ（ホワイト）の色成分表示データや、Ｙ（イエロー）の色成分表示データが入力されてもよい。また、３色の色成分表示データについても、Ｒ、Ｇ、Ｂの表示データには限定されず、任意の組み合わせの色成分表示データを用いることが可能である。
【００９６】
そして、本実施形態では前述したように、階調電圧生成回路３５で生成された複数の階調電圧を、第１色成分表示データ及び第２色成分表示データ、第３色成分表示データで共用する。このような構成において、第１色成分表示データ及び第２色成分表示データ、第３色成分表示データのうちの少なくとも１つの色成分表示データに対して、設定された階調補正範囲において階調の補正処理を行う。例えば図１０のａ１に示すように、Ｇの入力階調（０〜２５５）に対して補正処理を行って、補正階調（ｇ０〜ｇ２５５）を算出する。なお、本例では、補正処理は、所与の係数αの乗算処理のことであってもよいし、所与の係数β１（β２）の加算処理又は減算処理であっても良い。そして、例えばＲとＢについても、図１０のａ２及びａ３に示すように、同様に補正階調（ｒ０〜ｒ２５５、ｂ０〜ｂ２５５）を算出する。そして、Ｄ／Ａ変換部３０は、図１０のａ１〜ａ３に示すように、各補正階調（ｇ０〜ｇ２５５、ｒ０〜ｒ２５５、ｂ０〜ｂ２５５）に対応する各階調電圧（Ｖｇ０〜Ｖｇ２５５、Ｖｒ０〜Ｖｒ２５５、Ｖｂ０〜Ｖｂ２５５）を、各入力階調（０〜２５５）に対応する階調電圧として選択し、データ線駆動部４０に出力する。データ線駆動部４０は、入力された階調電圧を表示パネルに供給する。これにより、表示パネルは、入力階調と同じ階調、少なくとも階調の補正処理を行わなかった場合に比べて入力階調に近い階調での表示を実現できる。
【００９７】
これにより、階調電圧生成回路で生成された階調電圧を複数の色成分表示データで共用し、少なくとも２つの色成分表示データの階調電圧を表示パネルに同時に供給する場合に、ある特定の階調における階調性及び色再現性の少なくとも一方の低下を抑制することができる。
【００９８】
次に、階調の補正処理について具体的に説明する。データ処理部２０は、少なくとも１つの色成分表示データに対して、所与の係数αを乗算する乗算処理を行い、階調補正範囲において、乗算処理後の色成分表示データに所与の値β１を加算又は減算する補正処理を行う。なお、乗算処理には、小数点以下の丸め込み処理を含めても良い。
【００９９】
すなわち、図１０のａ１に示す補正階調ｇｉは、ｇｉ＝ｉ×αＧ±β１Ｇにより求められる。同様にして、図１０のａ２に示す補正階調ｒｉは、ｒｉ＝ｉ×αＲ±β１Ｒにより求められ、図１０のａ３に示す補正階調ｂｉは、ｂｉ＝ｉ×αＢ±β１Ｂにより求められる。ｉは入力階調であり、０≦ｉ≦２５５である。また、β１Ｒ、β１Ｇ、β１Ｂは、それぞれＲ用、Ｇ用、Ｂ用の所与の値β１である。
【０１００】
ここで、所与の値β１は、ある色成分表示データの階調電圧が、同時に供給される他の色成分表示データの階調電圧に適切に対応する階調電圧になるように調整するために用いる値であり、任意の値に設定可能である。同時に供給される他の色成分表示データの階調電圧に適切に対応する階調電圧とは、より具体的に言えば、例えばＲ、Ｇ、Ｂの入力階調を同じ値にしてモノクロ表示をした時に、色付きや階調飛びが発生しないような階調電圧である。また、所与の値β１は、前述したように、インターフェース部１０にコマンドを入力することにより、レジスター７０に設定することが可能である。なお、所与の値β１は、Ｒ、Ｇ、Ｂそれぞれに対して個別の値（β１Ｒ、β１Ｇ、β１Ｂ）であることを想定しているが、必ずしもそれには限定されず、２つの色成分表示データにおいて共通の値であってもよい。
【０１０１】
これにより、Ｒ、Ｇ、Ｂそれぞれのガンマ特性や表示パネル固有のガンマ特性に適合した階調電圧を選択し、さらに、ある特定の階調における階調性及び色再現性の少なくとも一方の低下を抑制すること等が可能になる。例えばホワイトバランス調整等における表示の不具合の発生を抑制できる。
【０１０２】
また、ホワイトバランス調整時の色付きや階調飛びは、人間の目で見た場合に、２５５番目の階調に近い高階調側の階調範囲と、０番目の階調に近い低階調側の階調範囲では目立ちにくいため、問題にはならないことが多い。一方で、高階調側の階調範囲と低階調側の階調範囲の間の範囲においては、色付きや階調飛びが目立って見える。
【０１０３】
よって、本実施形態の階調補正範囲は、データ処理部２０に入力される第１の色成分表示データ、第２の色成分表示データ及び第３の色成分表示データの少なくとも１つの色成分表示データ（入力階調）に対して設定される、高階調側の階調範囲と低階調側の階調範囲の間の範囲であることが望ましい。例えば前述した図９の例では、階調補正範囲はＧＣＲで示される階調範囲である。
【０１０４】
これにより、人間の目で見た時に、階調性及び色再現性の少なくとも一方の低下が目立ちやすい範囲を階調補正範囲に設定することができる。よって、階調性及び色再現性の少なくとも一方の低下が、人間の目で見た時に目立ちやすい階調範囲において、階調性及び色再現性の少なくとも一方の低下を抑制すること等が可能になる。
【０１０５】
また、階調補正範囲は、非境界範囲と、階調補正範囲外と非境界範囲との間の境界範囲を有する。例えば前述した図９に示すように、階調補正範囲は、階調が大きくなるにつれ、階調補正範囲外から階調補正範囲内へと切り替わる第１の境界範囲ＢＲ１と、階調補正範囲内から階調補正範囲外へと切り替わる第２の境界範囲ＢＲ２との少なくとも一方の境界範囲と、少なくとも一方の境界範囲以外の非境界範囲ＭＲとを有する。
【０１０６】
そして、階調の補正処理が行われるために、階調補正範囲ＧＣＲの境界範囲（ＢＲ１、ＢＲ２）では、入力階調に対する階調電圧が大きく変化することになる。このことにより、階調補正範囲の境界範囲において階調性が損なわれる可能性がある。
【０１０７】
そこで、本実施形態では、図９に示すように、階調補正範囲ＧＣＲの境界範囲（ＢＲ１、ＢＲ２）において、入力階調の補正量を徐々に大きく、又は徐々に小さくする。すなわち、データ処理部２０は、乗算処理後の色成分表示データに対して、非境界範囲ＭＲでは、所与の値β１を用いて補正処理を行い、境界範囲（ＢＲ１、ＢＲ２）では、所与の値β１よりも小さい値β２を用いて補正処理を行う。
【０１０８】
ここで、図１１に、階調補正範囲ＧＣＲにおいて、入力階調に対して、所与の係数αと所与の値β１、β２を用いて補正処理を行い、補正階調を算出した例を示す。図１１の例では、５３〜７４階調範囲に階調補正範囲ＧＣＲが設定されており、５３の入力階調が第１の境界範囲ＢＲ１に、７４の入力階調が第２の境界範囲ＢＲ２に設定されている。α＝１．０、β１＝０の例と、α＝０．９４、β１＝０の例では、β２＝０に設定されており、階調補正範囲における階調の補正処理（狭義の補正処理であり、β１又はβ２の加算又は減算をすること）は行われていない。一方、α＝０．９４、β１＝１の例では、β２＝０．５に設定されており、第１の境界範囲ＢＲ１の入力階調５３に対応する補正階調は４９．５に、第２の境界範囲ＢＲ２の入力階調７４に対応する補正階調は６９．５になる。同様に、α＝０．９４、β１＝−１の例では、β２＝−０．５に設定されており、第１の境界範囲ＢＲ１の入力階調５３に対応する補正階調は４８．５に、第２の境界範囲ＢＲ２の入力階調７４に対応する補正階調は６８．５になる。
【０１０９】
これにより、階調補正範囲の境界範囲において、階調電圧が大きく変化することを抑制して、境界範囲における階調性の低下を抑制すること等が可能になる。言い替えれば、境界範囲において、階調特性の変化を滑らかにして、境界範囲における階調性の低下を抑制すること等が可能になる。
【０１１０】
なお、図１１の例は、境界範囲が一つの入力階調しか含まない例であるが、本実施形態はそれには限定されない。例えば、境界範囲ＢＲ１が３つの入力階調を含み、β１＝２．０である場合には、所与の値β２を非境界範囲ＭＲに近付くにつれ大きくしていくことも可能である。例えば、境界範囲ＢＲ１が第１の入力階調〜第３の入力階調（例えば５３〜５５）を含み、第１の入力階調５３が階調補正範囲外に最も近い階調であり、第３の入力階調５５が階調補正範囲の非境界範囲ＭＲに最も近い階調であるものとする。第２の入力階調５４は、第１の入力階調５３と第３の入力階調５５の間の階調である。この時に、境界範囲ＢＲ１の第１の入力階調５３に対してはβ２＝０．５を用い、第２の入力階調５４に対してはβ２＝１．０を用い、第３の入力階調５５に対してはβ２＝１．５を用いることができる。これによれば、境界範囲において、階調特性の変化をより滑らかにすることができる。
【０１１１】
また、図１１の例では、α＝０．９４、β１＝０で、入力階調が５０、６７の時や、α＝０．９４、β１＝１で、入力階調が５０、５３、６７、７４の時、α＝０．９４、β１＝−１で、入力階調が５０、５３、６７、７４の時には、補正階調が小数を含むことになるため、この場合には、フレームレートコントロール階調制御（ＦＲＣ）を行うことにより、所望の階調を疑似的に実現する。すなわち、データ処理部２０は、補正処理により得られた補正階調が所与の条件を満たす場合に、補正階調についてＦＲＣを行う。
【０１１２】
これにより、第１色成分表示データ及び第２色成分表示データ、第３色成分表示データの少なくとも１つにより示される入力階調の表示を疑似的に実現すること等が可能になる。
【０１１３】
また、階調補正範囲内の階調に対してＦＲＣを行うことによって、前述した所与の値β１及びβ２を用いて入力階調の補正処理を行うことと同様の効果を奏することもできる。すなわち、階調電圧生成回路で生成された階調電圧を複数の色成分表示データで共用し、少なくとも２つの色成分表示データの階調電圧を表示パネルに同時に供給する場合に、ある特定の階調における階調性及び色再現性の少なくとも一方の低下を抑制することができる。
【０１１４】
具体的には、データ処理部２０は、補正処理として、少なくとも１つの色成分表示データに対して、所与の係数αを乗算する乗算処理を行う。そして、データ処理部２０は、乗算処理の結果として得られた補正階調が所与の条件を満たす場合には、補正階調についてＦＲＣを行う。なお、ＦＲＣを行う対象となるのは、階調補正範囲内の階調には限らない。
【０１１５】
これにより、入力階調に所与の係数αを乗算して得られた補正階調が所与の条件を満たす場合に、ＦＲＣを行って、補正階調の表示を疑似的に実現すること等が可能になる。その結果、元の入力階調が示す明るさや色味をより忠実に再現して、例えばホワイトバランス調整時に色付きや階調飛びの発生を抑制すること等が可能になる。
【０１１６】
さらに具体的に、データ処理部２０は、所与の条件を満たす場合に、補正階調に対して所与の差分値を加算又は減算した階調と、補正階調とのいずれかを、１又は複数のフレーム毎に選択するＦＲＣを行う。
【０１１７】
所与の差分値は例えば１であるが、本実施形態はそれには限定されない。
【０１１８】
例えば、図１１に示す、α＝０．９４、β１＝０で、入力階調が６７であり、補正階調が６２（小数点以下切り捨て）である場合の例について説明する。この場合には、入力階調６６に対する補正階調も６２（小数点以下切り捨て）であり、入力階調６８に対する補正階調は６３（小数点以下切り捨て）である。従って、滑らかな階調変化を行うためには、補正階調を６２と６３の間の６２．５とするのが望ましい。しかし、階調電圧生成回路３５からは、６２．５の階調に対応する階調電圧は供給されない。
【０１１９】
そこで、本実施形態では、例えば図１２の選択パターン１に示すようなＦＲＣを行うことによって、入力階調６７（補正階調６２．５）の階調表示を疑似的に実現する。まず、所与の差分値である１を補正階調６２に加算した階調６３を求める。そして、階調６２と６３を１フレーム毎に選択するＦＲＣを行う。この場合には、フレーム０では、表示パネル内のあるピクセル（サブピクセル）に対して、階調６２に対応する階調電圧Ｖ６２が供給され、次のフレーム１では同じピクセルに対して、階調６３に対応する階調電圧Ｖ６３が供給され、さらに次のフレーム２では再び階調電圧Ｖ６２が供給される。これを繰り返すことにより、入力階調６７（補正階調６２．５）の階調表示を疑似的に実現できる。
【０１２０】
また本例とは異なるが、図１２の選択パターン２のようなＦＲＣを行うことも可能である。選択パターン２では、階調６２に対応する階調電圧Ｖ６２を２フレーム連続して選択し、その後の１フレームで階調６３に対応する階調電圧Ｖ６３を選択する。そしてこれを繰り返す。なお、本実施形態では、選択パターン１及び選択パターン２以外の選択パターンも任意に設定可能である。
【０１２１】
これにより、階調電圧生成回路３５から供給されない階調電圧に対応する階調も疑似的に表現すること等が可能になる。例えば、補正階調が小数を含む場合などに、補正階調に対応する入力階調の表示を疑似的に実現すること等が可能になる。
【０１２２】
以上のように、データ処理部２０は、少なくとも１つの色成分表示データにおける第ｉの階調（第ｉの入力階調）に対して補正処理を行って、第ｉの補正階調を求める。なお、ｉは０≦ｉ≦２５５の整数である。前述した図１２の選択パターン１の例では、第ｉの階調は６７であり、第ｉの補正階調は６２である。同様にして、データ処理部２０は、色成分表示データにおける第ｊの階調（第ｊの入力階調）に対して、補正処理を行って、第ｊの補正階調を求める。なお、ｊはｊ＝ｉ±１の整数である。前述した図１２の選択パターン１の例では、第ｊの階調は６６であり、第ｊの補正階調も６２である。そして、データ処理部２０は、第ｉの補正階調と第ｊの補正階調とが同じ階調であると判定される場合に、ＦＲＣを行う。すなわち、前述したＦＲＣを行うための所与の条件は、第ｉの補正階調と第ｊの補正階調とが同じ階調であると判定されることである。前述した図１２の選択パターン１の例では、第ｉの補正階調と第ｊの補正階調が共に６２であるため、ＦＲＣを行うことを決定している。なお、第ｉの補正階調と第ｊの補正階調とが厳密に同じでなくても、同じ階調であると判定されていればよい。
【０１２３】
補正階調の求め方についてより具体的に言えば、データ処理部２０は、第ｉの階調に対して所与の係数αを乗算する乗算処理を行い、乗算処理の第ｉの結果に対して丸め込み処理を行って、第ｉの補正階調を求める。同様にして、データ処理部２０は、第ｊの階調に対して乗算処理を行い、乗算処理の第ｊの結果に対して丸め込み処理を行って、第ｊの補正階調を求める。そして、データ処理部２０は、第ｉの補正階調と第ｊの補正階調とが同じ階調であると判定される場合に、第ｉの補正階調と、第ｉの補正階調に対して所与の差分値を加算又は減算した階調のいずれかを、１又は複数のフレーム毎に選択するＦＲＣを行う。
【０１２４】
ここで、丸め込み処理は、例えば小数点以下の切り捨て、小数点以下の切り上げ、小数点以下の四捨五入等のいずれかの処理である。
【０１２５】
これにより、第ｉの補正階調と第ｊの補正階調とが同じ階調である場合に、元の第ｉの入力階調と元の第ｊの入力階調が異なる階調に見えるように表示すること等が可能になる。
【０１２６】
また、前述したように、例えばβ２＝０．５とする場合などには、境界範囲において補正階調が小数を含むことになる。
【０１２７】
そこで、データ処理部２０は、境界範囲に対応する補正階調に対してもＦＲＣを行う。すなわち、前述した所与の条件は、色成分表示データにより示される階調が境界範囲に含まれることである。
【０１２８】
これにより、階調補正範囲の境界範囲においてＦＲＣを行って、きめ細かな階調制御を行うこと等が可能になる。
【０１２９】
次に、本実施形態の階調の補正処理と、ＦＲＣを実行するか否かの決定処理について、図１３のフローチャートを用いて説明する。
【０１３０】
まず、データ処理部２０は、入力階調ｇｉｎ＿ｉに対して所与の係数αを乗算し、乗算した後に小数点以下の切り捨て処理を行って、補正階調ｇｏｕｔ＿ｉを算出する（Ｓ１０１）。次に、データ処理部２０は、入力階調ｇｉｎ＿ｉが０か否かを判定する（Ｓ１０２）。
【０１３１】
入力階調ｇｉｎ＿ｉが０ではないと判定された場合には、データ処理部２０は、入力階調ｇｉｎ＿ｉの１つ前の階調（ｇｉｎ＿ｉ−１）に対して、所与の係数αを乗算し、乗算した後に小数点以下の切り捨て処理を行って、補正階調ｇｏｕｔ＿ｊを算出する（Ｓ１０３）。
【０１３２】
そして、データ処理部２０は、補正階調ｇｏｕｔ＿ｉと補正階調ｇｏｕｔ＿ｊの差分が０か否かを判定する（Ｓ１０４）。補正階調ｇｏｕｔ＿ｉと補正階調ｇｏｕｔ＿ｊの差分が０である、すなわち補正階調ｇｏｕｔ＿ｉと補正階調ｇｏｕｔ＿ｊが同じ階調であると判定された場合には、補正階調ｇｏｕｔ＿ｉについてＦＲＣを行うことを決定し（Ｓ１０５）、ステップＳ１０６に進む。
【０１３３】
一方、補正階調ｇｏｕｔ＿ｉと補正階調ｇｏｕｔ＿ｊの差分が０でない、すなわち補正階調ｇｏｕｔ＿ｉと補正階調ｇｏｕｔ＿ｊが同じ階調でないと判定された場合には、ステップＳ１０５の処理を行わずにステップＳ１０６に進む。また、ステップＳ１０２において、入力階調ｇｉｎ＿ｉが０であると判定された場合には、ステップＳ１０３〜ステップＳ１０５の処理を行わずにステップＳ１０６に進む。
【０１３４】
次に、データ処理部２０は、入力階調ｇｉｎ＿ｉが階調補正範囲内であるか否かを判定する（Ｓ１０６）。
【０１３５】
そして、入力階調ｇｉｎ＿ｉが階調補正範囲内であると判定した場合には、データ処理部２０は、入力階調ｇｉｎ＿ｉが階調補正範囲の境界範囲内であるか否かを判定する（Ｓ１０７）。
【０１３６】
データ処理部２０は、入力階調ｇｉｎ＿ｉが階調補正範囲の境界範囲内ではないと判定した場合には、補正階調ｇｏｕｔ＿ｉに所与の値β１を加算又は減算し（Ｓ１０８）、処理を終了する。
【０１３７】
一方、データ処理部２０は、入力階調ｇｉｎ＿ｉが階調補正範囲の境界範囲内であると判定した場合には、補正階調ｇｏｕｔ＿ｉに所与の値β２（β２＜β１）を加算又は減算し（Ｓ１０９）、補正階調ｇｏｕｔ＿ｉについてＦＲＣを行うことを決定し（Ｓ１１０）、処理を終了する。なお、ステップＳ１０５においてＦＲＣを行うと決定され、かつ入力階調ｇｉｎ＿ｉが階調補正範囲の境界範囲内になるような各種設定（所与の係数αの設定や階調補正範囲及び境界範囲の設定等）は予め禁止しておく。
【０１３８】
また、ステップＳ１０６において、入力階調ｇｉｎ＿ｉが階調補正範囲内ではないと判定した場合には、そのまま処理を終了する。
【０１３９】
５．デュアルゲート
次に、本実施形態で用いる表示パネルを図１４に図示する。以下では、アクティブマトリックス型の表示パネル（例えばＴＦＴ液晶パネル）のうち、デュアルゲートの表示パネルを例にとって説明するが、本発明はデュアルゲート以外（例えばシングルゲート、トリプルゲート）の表示パネルにも適用できる。また液晶パネルに限らず自発光パネル（例えば有機ＥＬパネル）等にも本発明を適用できる。
【０１４０】
本実施形態で用いる表示パネルは、図１４に示すように、表示ラインに対応して設けられた第１走査線（第１ゲート線）Ｇ１及び第２走査線（第２ゲート線）Ｇ２のうちの第１走査線Ｇ１により選択される第１画素群（ＳＰ１Ｒ、ＳＰ１Ｂ、ＳＰ２Ｇ）と、第２走査線Ｇ２により選択される第２画素群（ＳＰ１Ｇ、ＳＰ２Ｒ、ＳＰ２Ｂ）を有し、第１画素群の各画素と第２画素群の各画素により複数のデータ線（Ｓ１、Ｓ２、Ｓ３…）の各データ線が共用されるパネルである。
【０１４１】
図１４は、回路装置１００が駆動するカラー表示パネルの構成例であり、画素アレイの一部を示している。ピクセル（画素）ＰＸ１、ＰＸ２は１本目の水平表示ラインのピクセルであり、ピクセルＰＸ３、ＰＸ４は２本目の水平表示ラインのピクセルである。各ピクセルにはＲＧＢのサブピクセルが含まれる。例えばピクセルＰＸ１は、第１色（Ｒ）のカラーフィルターが設けられたサブピクセルＳＰ１Ｒ、第２色（Ｇ）のカラーフィルターが設けられたサブピクセルＳＰ１Ｇ、第３色（Ｂ）のカラーフィルターが設けられたサブピクセルＳＰ１Ｂで構成される。
【０１４２】
データ線は各水平表示ラインにおいて２個のサブピクセルに共通に接続される。例えば１本目の水平表示ラインでは、データ線Ｓ１はサブピクセルＳＰ１Ｒ、ＳＰ１Ｇに接続され、データ線Ｓ２はサブピクセルＳＰ１Ｂ、ＳＰ２Ｒに接続される。ゲート線は各水平表示ラインに対して２本設けられる。１本のデータ線に接続される２個のサブピクセルのうち一方に、２本のゲート線の一方が接続され、１本のデータ線に接続される２個のサブピクセルのうち他方に、２本のゲート線の他方が接続される。例えば１本目の水平表示ラインにはゲート線Ｇ１、Ｇ２が設けられ、データ線Ｓ１に接続されるサブピクセルＳＰ１Ｒ、ＳＰ１ＧのうちサブピクセルＳＰ１Ｒにゲート線Ｇ１が接続され、サブピクセルＳＰ１Ｇにゲート線Ｇ２が接続される。
【０１４３】
そして、例えば１本目の水平表示ラインを駆動する水平走査期間では、その水平走査期間において回路装置１００はゲート線Ｇ１、Ｇ２を時分割に選択する。そして、ゲート線Ｇ１を選択した期間にサブピクセルＳＰ１Ｒ、ＳＰ１Ｂ、ＳＰ２Ｇの階調電圧をデータ線Ｓ１、Ｓ２、Ｓ３に出力して、サブピクセルＳＰ１Ｒ、ＳＰ１Ｂ、ＳＰ２Ｇへの書き込みを行う。ゲート線Ｇ２を選択した期間にサブピクセルＳＰ１Ｇ、ＳＰ２Ｒ、ＳＰ２Ｂの階調電圧をデータ線Ｓ１、Ｓ２、Ｓ３に出力して、サブピクセルＳＰ１Ｇ、ＳＰ２Ｒ、ＳＰ２Ｂへの書き込みを行う。
【０１４４】
すなわち、この回路装置１００は、インターフェース部１０がＲＧＢの表示データＲＤ、ＧＤ、ＢＤを受け付け、データ処理部２０がＲＧＢの表示データＲＱ１、ＧＱ１、ＢＱ１を出力し、それらに対応する階調電圧を駆動部６０がピクセルＰＸ１のサブピクセルＳＰ１Ｒ、ＳＰ１Ｇ、ＳＰ１Ｂへ書き込む。このようにして各ピクセルにＲＧＢの階調電圧が書き込まれ、表示パネルにカラー画像が表示される。
【０１４５】
なお、表示データＲＱ１、ＧＱ１、ＢＱ１は、データ処理部２０の出力データであり、それぞれ表示パネルのピクセル又はサブピクセルに対応する表示データである。例えば図１４のカラー表示パネルの場合、表示データＲＱ１、ＧＱ１、ＢＱ１は、ピクセルＰＸ１の第１色（赤色）のサブピクセルＳＰ１Ｒ、第２色（緑色）のサブピクセルＳＰ１Ｇ、第３色（青色）のサブピクセルＳＰ１Ｂに対応する。
【０１４６】
このような表示パネルを用いることにより、表示パネルのデータ線の本数を削減すること等が可能になる。なお、デュアルゲートの表示パネルにおける画素アレイの構成は図１４に限定されない。例えば、サブピクセルＳＰ１Ｒ、ＳＰ１Ｇ、ＳＰ１Ｂ、ＳＰ２Ｒにおいて、サブピクセルＳＰ１Ｒ、ＳＰ２Ｒがゲート線Ｇ１に接続され（第１画素群）、サブピクセルＳＰ１Ｇ、ＳＰ１Ｂがゲート線Ｇ２に接続されてもよい（第２画素群）。或いは、サブピクセルＳＰ１Ｒ、ＳＰ１Ｇ、ＳＰ３Ｒ、ＳＰ３Ｇにおいて、サブピクセルＳＰ１Ｒ、ＳＰ３Ｇがゲート線Ｇ１、Ｇ３に接続され、サブピクセルＳＰ１Ｇ、ＳＰ３Ｒがゲート線Ｇ２、Ｇ４に接続されてもよい。この他にも種々の変形実施が可能である。
【０１４７】
６．電気光学装置及び電子機器
図１５に、本実施形態の回路装置１００を適用できる電気光学装置と電子機器の構成例を示す。本実施形態の電子機器として、例えば車載表示装置（例えばメーターパネル等）や、モニター、ディスプレイ、単板プロジェクター、テレビション装置、情報処理装置（コンピューター）、携帯型情報端末、カーナビゲーションシステム、携帯型ゲーム端末、ＤＬＰ（Digital Light Processing）装置、プリンター等の、表示装置を搭載する種々の電子機器を想定できる。
【０１４８】
図１５に示す電子機器は、電気光学装置３５０、ＣＰＵ３１０（広義には処理装置）、表示コントローラー３００（ホストコントローラー）、記憶部３２０、ユーザーインターフェース部３３０、データインターフェース部３４０を含む。電気光学装置３５０は回路装置１００（表示ドライバー）、表示パネル２００を含む。
【０１４９】
表示パネル２００は例えばマトリックス型の液晶表示パネルである。或は、表示パネル２００は自発光素子を用いたＥＬ（Electro-Luminescence）表示パネルであってもよい。例えば、ガラス基板に表示パネル２００が形成され、そのガラス基板に回路装置１００が実装される。この表示パネル２００と回路装置１００を含むモジュールとして電気光学装置３５０が構成される（電気光学装置３５０には更に表示コントローラー３００が含まれてもよい）。なお、表示コントローラー３００、回路装置１００はモジュールとして構成されずに個々の部品として電子機器に組み込まれてもよい。
【０１５０】
ユーザーインターフェース部３３０は、ユーザーからの種々の操作を受け付けるインターフェース部である。例えば、ボタンやマウス、キーボード、表示パネル２００に装着されたタッチパネル等で構成される。データインターフェース部３４０は、画像データや制御データの入出力を行うインターフェース部である。例えばＵＳＢ等の有線通信インターフェースや、或は無線ＬＡＮ等の無線通信インターフェースである。記憶部３２０は、データインターフェース部３４０から入力された画像データを記憶する。或は、記憶部３２０は、ＣＰＵ３１０や表示コントローラー３００のワーキングメモリーとして機能する。ＣＰＵ３１０は、電子機器の各部の制御処理や種々のデータ処理を行う。表示コントローラー３００は回路装置１００の制御処理を行う。例えば、表示コントローラー３００は、データインターフェース部３４０や記憶部３２０からＣＰＵ３１０を介して転送された画像データを、回路装置１００が受け付け可能な形式に変換し、その変換された画像データを回路装置１００へ出力する。回路装置１００は、表示コントローラー３００から転送された画像データに基づいて表示パネル２００を駆動する。
【０１５１】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、回路装置、電気光学装置及び電子機器の構成、動作も本実施形態で説明したものに限定されず、種々の変形実施が可能である。
【符号の説明】
【０１５２】
１０…インターフェース部、２０…データ処理部、３０…Ｄ／Ａ変換部、
３２…Ｄ／Ａ変換回路、３５…階調電圧生成回路、４０…データ線駆動部、
５０…ゲート線駆動部、６０…駆動部、７０…レジスター、７１…階調補正範囲設定領域、
７３…α設定領域、７５…β設定領域、７７…ＦＲＣ ＯＮ／ＯＦＦ設定領域、
１００…回路装置、１２０…ラダー抵抗回路、１３０…階調電圧設定回路、
１４０…制御回路、１４２…階調レジスター部、１４４…アドレスデコーダー、
２００…表示パネル、３００…表示コントローラー、３２０…記憶部、
３３０…ユーザーインターフェース部、３４０…データインターフェース部、
３５０…電気光学装置
【図１】
0006578850.tif 000002
【図２】
0006578850.tif 000003
【図３】
0006578850.tif 000004
【図４】
0006578850.tif 000005
【図５】
0006578850.tif 000006
【図６】
0006578850.tif 000007
【図７】
0006578850.tif 000008
【図８】
0006578850.tif 000009
【図９】
0006578850.tif 000010
【図１０】
0006578850.tif 000011
【図１１】
0006578850.tif 000012
【図１２】
0006578850.tif 000013
【図１３】
0006578850.tif 000014
【図１４】
0006578850.tif 000015
【図１５】
0006578850.tif 000016